(57)【要約】ドライブ情報を書き込む方法及び光ディスクが開示されている。  この開示されたドライブ情報書込み方法は、ディスクドライブ情報が書き込まれるドライブ領域に多数個の物理的クラスタを備え、前記物理的クラスタのうち多数個の連続的な有効物理的クラスタを１セットとしてドライブ情報を書き込むか、または有効物理的クラスタを順次に使用してドライブ情報を書き込み、所定領域に最初の信頼できる物理的クラスタのアドレスを書き込むか、または信頼できる物理的クラスタのアドレスをそれぞれ書き込むことを特徴とする。  以上の方法によりドライブ情報が書き込まれるドライブ領域をもう少し効率的に使用できる方法を提示する。
2005526346.tif 000002
【特許請求の範囲】
【請求項１】
ディスクドライブ情報が書き込まれるドライブ領域に多数個の物理的クラスタを備え、前記物理的クラスタのうち多数個の連続的な有効物理的クラスタを１セットとしてドライブ情報を書き込む段階と、
前記有効物理的クラスタのうち最初の信頼できる物理的クラスタのアドレスを前記ドライブ領域と異なる領域に書き込む段階とを含むことを特徴とするドライブ情報書込み方法。
【請求項２】
前記有効物理的クラスタにドライブ情報を書き込む時、連続的な２つの有効物理的クラスタに原本ドライブ情報とこれを複写した複写ドライブ情報とをそれぞれ書き込むことを特徴とする請求項１に記載のドライブ情報書込み方法。
【請求項３】
前記最初の信頼できる物理的クラスタのアドレスを欠陥処理関連情報が書き込まれる領域に書き込むことを特徴とする請求項１または２に記載のドライブ情報書込み方法。
【請求項４】
ディスクドライブ情報が書き込まれるドライブ領域に多数個の物理的クラスタが備わり、前記多数個の物理的クラスタのうち信頼できる有効物理的クラスタにドライブ領域の前から順次にドライブ情報を書き込むことを特徴とするドライブ情報書込み方法。
【請求項５】
前記ドライブ情報は、ドライブ領域の前から順次に多数個の有効物理的クラスタを１セットとして書き込まれることを特徴とする請求項４に記載のドライブ情報書込み方法。
【請求項６】
前記物理的クラスタにドライブ情報を書き込む時、信頼できる２つの有効物理的クラスタに順次にオリジナル有効ドライブ情報とこれを複写した複写ドライブ情報とをそれぞれ書き込むことを特徴とする請求項５に記載のドライブ情報書込み方法。
【請求項７】
前記ドライブ情報が書き込まれる有効物理的クラスタのアドレスがドライブ領域と異なる別途の領域にそれぞれ書き込まれることを特徴とする請求項４ないし請求項６のうちいずれか一項に記載のドライブ情報書込み方法。
【請求項８】
前記ドライブ情報が書き込まれる有効物理的クラスタのアドレスを欠陥処理関連情報が書き込まれる領域にそれぞれ書き込むことを特徴とする請求項７に記載のドライブ情報書込み方法。
【請求項９】
前記ドライブ領域はユーザデータ領域を除外した他の領域に備わることを特徴とする請求項１または請求項４に記載のドライブ情報書込み方法。
【請求項１０】
前記ドライブ領域は、再生専用領域と再書込み可能な領域とを有するリードイン領域の再書込み可能な領域に備わることを特徴とする請求項９に記載のドライブ情報書込み方法。
【請求項１１】
多数個の物理的クラスタを備えて前記物理的クラスタにディスクドライブ情報が書き込まれるドライブ領域を含む光ディスクにおいて、
前記物理的クラスタのうち多数個の連続的な有効物理的クラスタを１セットとしてドライブ情報が書き込まれ、前記有効物理的クラスタのうち最初の信頼できる物理的クラスタのアドレスが前記ドライブ領域と異なる領域に書き込まれたことを特徴とする光ディスク。
【請求項１２】
前記物理的クラスタにドライブ情報を書き込む時、２つの連続的な有効物理的クラスタに原本ドライブ情報とこれを複写した複写ドライブ情報とがそれぞれ書き込まれたことを特徴とする請求項１１に記載の光ディスク。
【請求項１３】
前記最初の信頼できる有効物理的クラスタのアドレスが欠陥処理関連情報が書き込まれる領域に書き込まれることを特徴とする請求項１１または請求項１２に記載の光ディスク。
【請求項１４】
多数個の物理的クラスタを具備して前記物理的クラスタにディスクドライブ情報が書き込まれるドライブ領域を含む光ディスクにおいて、
前記多数個の物理的クラスタのうち信頼できる有効物理的クラスタにドライブ領域の前から順次にドライブ情報が書き込まれたことを特徴とする光ディスク。
【請求項１５】
前記ドライブ情報は、ドライブ領域の前から順次に多数個の有効物理的クラスタを１セットとして書き込まれることを特徴とする請求項１４に記載の光ディスク。
【請求項１６】
前記物理的クラスタにドライブ情報を書き込む時、信頼できる２つの有効物理的クラスタに順次にオリジナル有効ドライブ情報とこれを複写した複写ドライブ情報とをそれぞれ書き込むことを特徴とする請求項１４または請求項１５に記載の光ディスク。
【請求項１７】
前記ドライブ情報が書き込まれる有効物理的クラスタのアドレスがドライブ領域と異なる別途の領域にそれぞれ書き込まれることを特徴とする請求項１４に記載の光ディスク。
【請求項１８】
前記ドライブ領域はユーザデータ領域を除外した異なる領域に備わることを特徴とする請求項１１または請求項１４に記載の光ディスク。
【請求項１９】
前記ドライブ領域は、再生専用領域と再書込み可能な領域を有するリードイン領域の再書込み可能な領域に備わることを特徴とする請求項１８に記載の光ディスク。
【発明の詳細な説明】
【技術分野】
【０００１】
本発明は光ディスクにドライブ情報を書き込む方法及びこの方法により書き込まれた光ディスクに関する。
【背景技術】
【０００２】
書込み、消去及び再生（読み込み）が可能な光ディスクである４．７ＧＢ  ＤＶＤ−ＲＡＭの場合、ドライブに挿入された後で使われたドライブの情報、例えばドライブ製造メーカの情報、シリアルナンバーのような情報をリードイン領域の再書込み可能なデータ領域のディスク確認領域（ｉｄｅｎｔｉｆｉｃａｔｉｏｎ  ｚｏｎｅ）に書き込むようになっている。しかし、ディスク確認領域が２つのＥＣＣ（誤り訂正コード）ブロックしか割り当てられていないので、もし２ブロックが損傷されて使用できなくなる場合に、それ以上ドライブ情報を書き込めない問題点がある。
【０００３】
これを解決するために、２３ＧＢ以上の容量を有する再書込み可能なＨＤ−ＤＶＤでは、リードイン領域に２つ以上の物理的クラスタを備えたドライブ領域を備え、ドライブ情報を書き込む必要がある。図１は、ディスクの中心ホールから所定半径以上の領域のリードイン領域である物理的構造の一例を示したものである。リードインには、データがあらかじめ書き込まれた再生専用領域１００と再書込み可能な（リライタブル）領域１１０とが含まれている。再生専用領域１００には、ディスクと関連したコントロールデータが備わっている。
【０００４】
再書込み可能領域１１０には、テスト領域、ディスクに欠陥が発生した場合にこの欠陥を処理及び管理するための欠陥処理領域（ＤＭＡ：Ｄｅｆｅｃｔ  Ｍａｎａｇｅｍｅｎｔ  Ａｒｅａ）、コントロールデータ領域、ＯＰＣ（Ｏｐｔｉｍｕｍ  Ｐｏｗｅｒ  Ｃｏｎｔｒｏｌ）テストゾーン及びバッファ領域などが備わる。
【０００５】
ここで、再書込み可能領域１１０には、ドライブ情報が書き込まれるドライブ領域がさらに備わる。前記ドライブ領域は、多数個の物理的クラスタより構成され、各物理的クラスタは多数個のデータフレームより構成される。この領域には、製造メーカ関連情報、ドライブのシリアルナンバーなどが書き込まれる。このように、複数の物理的クラスタより構成されたドライブ領域に情報を書き込む方法が新しく提示される必要がある。
【発明の開示】
【発明が解決しようとする課題】
【０００６】
本発明は、複数のクラスタより構成されたドライブ領域に情報を書き込む方法を提供するために創出されたものであり、ドライブ情報が書き込まれるドライブ領域にある物理的クラスタのうち多数個の連続的な信頼可能な物理的クラスタを１セットとしてドライブ情報を書き込み、このうち最初の信頼できるクラスタのアドレスをＤＤＳに書き込むことにより、効率的にドライブ情報を書き込めるドライブ情報書込み方法及びこの方法により書き込まれた光ディスクを提供するところにその第一の目的がある。
【０００７】
本発明の第二の目的は、ドライブ情報が書き込まれるドライブ領域にある信頼性ある物理的クラスタを前から順次使用し、これについてのアドレスをＤＤＳに全て書き込むことにより、効率的にドライブ情報を書き込めるドライブ情報書込み方法及びこの方法により書き込まれた光ディスクを提供するところにある。
【課題を解決するための手段】
【０００８】
本発明によるドライブ情報書込み方法は、ドライブ情報が書き込まれるドライブ領域にある物理的クラスタの一部に連続的または不連続的に欠陥が発生して信頼できない物理的クラスタが生じた場合、信頼できる正常な物理的クラスタに前から連続的にまたは順次にドライブ情報を書き込む。
【０００９】
本発明の第一実施形態によるドライブ情報書込み方法は、ドライブ情報が書き込まれるドライブ領域にある多数個の連続的な信頼可能な物理的クラスタを１セットとしてドライブ情報を書き込むことを特徴とする。すなわち、ドライブ領域にある物理的クラスタのうち損傷されたり欠陥があって信頼できない物理的クラスタは除き、ドライブ領域の前から信頼できる有効な物理的クラスタのうち多数個の連続的な物理的なクラスタを１セットとしてドライブ情報を書き込む。
【発明を実施するための最良の形態】
【００１０】
図２を参照するに、ドライブ情報が書き込まれるドライブ領域１０は、（ｎ＋１）個の物理的クラスタ１０−０，１０−１，１０−２，．．．，１０−ｎを備える。例えば、ドライブ情報が書き込まれる領域の第０物理的クラスタ１０−０と第１物理的クラスタ１０−１とが損傷され、第２物理的クラスタ１０−２と第３物理的クラスタ１０−３とが信頼可能な場合、第２及び第３物理的クラスタ１０−２，１０−３を１セットとして正本ドライブ情報（ｖａｌｉｄ  ｄｒｉｖｅ  ｉｎｆｏｒｍａｔｉｏｎ）とこれを複写した複写ドライブ情報（ｃｏｐｙ  ｄｒｉｖｅ  ｉｎｆｏｒｍａｔｉｏｎ）とをそれぞれ書き込む。このように、損傷されて使用できない物理的クラスタは除き、有効な物理的クラスタのうち連続的な物理的クラスタにドライブ情報を書き込む。望ましくは、２つの有効な物理的クラスタを１セットとしてドライブ情報を書き込める。
【００１１】
前記のようなドライブ情報が書き込まれるドライブ領域１０は、ユーザデータ領域を除外した他の領域に備わりうる。例えば、図１を参照するに、ディスクの内周側にあるリードイン領域には、再生専用領域１００と再書込み可能領域１１０とがあるが、前記再書込み可能領域の所定領域に前記ドライブ領域が備わりうる。または、ディスクの外周側にあるリードアウト領域の再書込み可能な領域にドライブ情報を書き込める。図面に示されていないが、リードアウト領域にもドライブ領域が備わり、このドライブ領域に前記のような連続的な多数個の有効物理的クラスタを１セットとしてドライブ情報が書き込める。
【００１２】
本発明によるドライブ情報書込み方法によれば、原本ドライブ情報と複写ドライブ情報とが１セットに書き込まれた物理的クラスタのアドレスをドライブ領域と異なる別途の所定領域に書き込んで管理する。例えば、ドライブ情報が書き込まれた１セットの物理的クラスタの最初の信頼できる物理的クラスタのアドレスが欠陥処理関連情報が書き込まれる領域に書き込まれる。欠陥処理関連情報が書き込まれる領域というのは、図１に示された欠陥処理領域（ＤＭＡ）でありうる。
【００１３】
図３は、欠陥処理領域のＤＤＳ（Ｄｉｓｃ  Ｄｅｆｉｎｉｔｉｏｎ  Ｓｔｒｕｃｔｕｒｅ）を示したものである。前記欠陥処理領域のＤＤＳの所定位置には、前記原本ドライブ情報が書き込まれた物理的クラスタと複写ドライブ情報が書き込まれた物理的クラスタのうち最初の信頼できる物理的クラスタのアドレスが書き込まれる。例えば、データフレームにある任意のｍバイトポジション１２にそれらアドレスが書き込まれうる。ここで、信頼できる物理的クラスタとは、情報が損傷せずに欠陥がないので、円滑に再生されうるデータが書き込まれた物理的クラスタを意味する。この時、物理的クラスタのアドレスは、それぞれの物理的クラスタに対応する物理的セクタ番号（ＰＳＮ：Ｐｈｙｓｉｃａｌ  Ｓｅｃｔｏｒ  Ｎｕｍｂｅｒ）として書き込める。
【００１４】
例えば、原本ドライブ情報が書き込まれた物理的クラスタと複写ドライブ情報が書き込まれた物理的クラスタとがいずれも信頼できる場合には、原本ドライブ情報が書き込まれた物理的クラスタのアドレスが書き込まれる。これと異なり、図２に示されたように原本ドライブ情報が書き込まれた物理的クラスタが損傷されて信頼できなくなり、複写ドライブ情報が書き込まれた物理的クラスタが信頼できる場合、この複写ドライブ情報が書き込まれた物理的クラスタのアドレスがＤＤＳに書き込まれる。
【００１５】
また、初めには原本ドライブ情報が書き込まれた物理的クラスタと複写ドライブ情報が書き込まれた物理的クラスタとがいずれも信頼でき、最初の信頼できるドライブ情報の原本ドライブ情報が書き込まれた物理的クラスタのアドレスがＤＤＳに書き込まれた後、使用途中に損傷や欠陥が生じて前記原本ドライブ情報が書き込まれた物理的クラスタが信頼できなくなった場合、前記複写ドライブ情報が書き込まれた物理的クラスタのアドレスがＤＤＳに新しく書き込まれる。
【００１６】
一方、図２で第２物理的クラスタ１０−２と第３物理的クラスタ１０−３とにドライブ情報が書き込まれた場合を例示したが、それら第２及び第３物理的クラスタがいずれも損傷されて信頼できなくなった場合、その次の有効な第４及び第５物理的クラスタに再び原本ドライブ情報と複写ドライブ情報とが書き込まれる。そして、前記第４及び第５物理的クラスタのうち、第４物理的クラスタが信頼可能であると判断されれば、第４物理的クラスタのアドレスが、第４物理的クラスタは信頼できず、第５物理的クラスタが信頼可能であると判断されれば、第５物理的クラスタのアドレスがＤＤＳに新しく書き込まれる。
【００１７】
このように、原本ドライブ情報と複写ドライブ情報とが書き込まれるクラスタのうち、最初の信頼できるクラスタのアドレスをＤＤＳに書き込み、さらに常に最初の信頼できるクラスタのアドレスとして更新することにより、ドライブ情報の再生時に信頼できるドライブ情報を時間的遅延なしに直ちに再生できる。
【００１８】
一方、本発明による光ディスクは、ドライブ情報が書き込まれるドライブ領域を有し、ドライブ領域には有効な物理的クラスタを連続的に使用して原本ドライブ情報と複写ドライブ情報とが書き込まれる。
【００１９】
そして、それら原本ドライブ情報と複写ドライブ情報のうち、最初の信頼できる物理的クラスタのアドレスがドライブ領域と異なる別途の領域に書き込まれる。例えば、前記最初の信頼できる物理的クラスタのアドレスが欠陥処理関連情報が書き込まれる領域に書き込まれうる。
【００２０】
ここで、ドライブ領域の最初の信頼できる物理的クラスタのアドレスとは、ドライブ情報が書き込まれた物理的クラスタのうち最初に来る信頼できる物理的クラスタのアドレスを意味する。従って、ドライブ情報が書き込まれた２つの物理的クラスタのうち最初の物理的クラスタが信頼できる場合には、最初の物理的クラスタのアドレスが書き込まれる。一方、２つの物理的クラスタのうち最初の物理的クラスタは信頼できず、第２の物理的クラスタが信頼できる場合には、第２の物理的クラスタのアドレスが書き込まれる。
【００２１】
第一実施形態によれば、連続的な物理的なクラスタを１セットとしてドライブ情報を書き込むにあたり、最初の信頼できるドライブ情報が書き込まれた物理的クラスタのアドレスを書き込むことによって迅速で正確にドライブ情報を再生できる利点がある。
【００２２】
次に、第二実施形態によるドライブ情報書込み方法について説明する。第二実施形態によるドライブ情報書込み方法は、ドライブ情報が書き込まれるドライブにある物理的クラスタの一部に連続的または不連続的に欠陥が発生して信頼できない物理的クラスタが生じた場合、信頼できる正常な物理的クラスタに前から順次にドライブ情報を書き込む。
【００２３】
この時、ドライブ情報を一つの物理的クラスタに一つずつ順次に書き込むことも可能であるが、多数個の物理的クラスタを順次に１セットとしてドライブ情報を書き込める。
【００２４】
図４を参照するに、ドライブ情報が書き込まれるドライブ領域２０は、多数個の物理的クラスタを含む。本発明ではドライブ情報を書き込む時、ドライブ情報が損傷されるか、あるいは欠陥が発生して使われえない場合に対応して２つ以上の物理的クラスタに同一情報を書き込む。ここでは説明の便宜上、２つの物理的クラスタを利用する場合を例に取る。
【００２５】
例えば、図４に示されたように、ドライブ情報が書き込まれる領域の０番目の物理的クラスタ２０−０と最初の物理的クラスタ２０−１とが損傷され、第２の物理的クラスタ２０−２が正常であり、第三の物理的クラスタ２０−３が損傷され、第四の物理的クラスタ２０−４が正常である場合がありえる。こういう場合、正常であって信頼できる第２の物理的クラスタ２０−２と第四の物理的クラスタ２０−４とを１対として原本（オリジナル）の有効ドライブ情報とこれを複写した複写ドライブ情報（ｃｏｐｙ  ｄｒｉｖｅ  ｉｎｆｏｒｍａｔｉｏｎ）とがそれぞれ書き込まれる。
【００２６】
このように、損傷されて使用できない物理的クラスタは除き、信頼できる物理的クラスタだけを選択的にドライブ領域の前から順次にドライブ情報を書き込む。望ましくは、２つずつ１対をなしてドライブ情報を書き込む。図４は、任意のｎ個の物理的クラスタからなるドライブ領域を概略的に示したものであり、損傷されて信頼できない領域は、ヘッチングをして表示した。この例のように、０番目の物理的クラスタ２０−０と最初の物理的クラスタ２０−１とは損傷されて使用できず、その次の第２の物理的クラスタ２０−２は信頼でき、第３の物理的クラスタ２０−３もやはり使用できない場合、信頼できる物理的クラスタのうちから前から順次にドライブ情報が書き込まれ、この時オリジナル有効ドライブ情報と複写ドライブ情報とが１対に書き込まれる。
【００２７】
従って、第２の物理的クラスタ２０−２と第４の物理的クラスタ２０−４とにそれぞれオリジナル有効ドライブ情報と複写ドライブ情報とが書き込まれる。次に、その次に来る２つの信頼できる領域にオリジナル有効ドライブ情報と複写ドライブ情報とが書き込まれる。図５では、第５の物理的クラスタ２０−５と第６のクラスタ２０−６とは信頼できない領域であって使用できず、その次の第７の物理的クラスタ２０−７と第８の物理的クラスタ２０−８とを１対にしてドライブ情報が書き込まれる。図面で、信頼できる物理的クラスタを順次に２つずつ使用してドライブ情報を書き込んだもの「Ｏ」と表示した。
【００２８】
前記のようなドライブ情報が書き込まれるドライブ領域２０は、ユーザデータ領域を除外した他の領域に書き込まれうる。例えば、図１を参照するに、ディスクの内周側にあるリードイン領域には再生専用領域１００と再書込み可能領域１１０とがあるが、再書込み可能領域１１０の所定領域にドライブ領域２０が備わりうる。また、図面には示されていないが、ディスクの外周側にあるリードアウト領域の再書込み可能領域にもドライブ情報が書き込まれうる。
【００２９】
本発明によるドライブ情報書込み方法により、オリジナル有効ドライブ情報と複写ドライブ情報とが対として書き込まれた物理的クラスタのアドレスがドライブ領域２０と異なる別途の所定領域にそれぞれ書き込まれて管理される。例えば、それらドライブ情報が書き込まれた物理的クラスタのアドレスがそれぞれ欠陥処理関連情報が書き込まれた領域にそれぞれ書き込まれる。欠陥処理関連情報が書き込まれた領域というのは、図１に示された欠陥処理領域（ＤＭＡ）でありうる。
【００３０】
図６は、欠陥処理領域のＤＤＳを示したものである。前記欠陥処理領域のＤＤＳの所定位置には、前記オリジナル有効ドライブ情報が書き込まれた物理的クラスタと複写ドライブ情報が書き込まれた物理的クラスタのアドレス２１，２２がいずれも書き込まれる。例えば、データフレームにある任意のｍ及び（ｍ＋１）バイトポジションにそれらアドレスが書き込まれうる。この時、物理的クラスタのアドレスは、それぞれの物理的クラスタに対応する物理的セクタ番号（ＰＳＮ）として書き込まれうる。このように、オリジナル有効ドライブ情報と複写ドライブ情報とが書き込まれた物理的クラスタのアドレスがいずれも書き込まれるので、データの書込み及び／または再生時に、２つのドライブ情報のうち少なくともいずれか一つを使用できる。すなわち、データの書込み及び／または再生時にＤＤＳに書き込まれたドライブ情報のうち、信頼できるドライブ情報が書き込まれた領域のアドレスにより指摘された所にあるドライブ情報を再生して使用できる。
【００３１】
本発明の第二実施形態によれば、多数個の物理的クラスタを１セットとしてドライブ情報を書き込むにあたり、信頼できる有効物理的クラスタを前から順次に使用してドライブ情報を書き込み、ドライブ情報が書き込まれた物理的クラスタのアドレスをＤＤＳに全て書き込むことにより、信頼できる物理的クラスタのうち少なくとも一つを使用してドライブ情報を書き込めるようにする。
【産業上の利用可能性】
【００３２】
本発明により、ドライブ情報が書き込まれるドライブ領域をさらに効率的に使用できる。
【図面の簡単な説明】
【００３３】
【図１】従来のリードイン領域の構造を示した図である。
【図２】本発明の第一実施形態によってドライブ情報が書き込まれるドライブ領域を示した図である。
【図３】本発明の第一実施形態によるドライブ情報書込み方法によって書き込まれたＤＤＳを示した図である。
【図４】本発明の第二実施形態によってドライブ情報が書き込まれるドライブ領域の構造を示した図である。
【図５】本発明の第二実施形態によるドライブ情報を書き込む方法によりドライブ情報を書き込む一例を示した図である。
【図６】本発明の第二実施形態によるドライブ情報書込み方法によって書き込まれたＤＤＳの一部を示した図である。
【図１】
2005526346.tif 000003
【図２】
2005526346.tif 000004
【図３】
2005526346.tif 000005
【図４】
2005526346.tif 000006
【図５】
2005526346.tif 000007
【図６】
2005526346.tif 000008
【国際調査報告】
2005526346.tif 000009